(57)【要約】【課題】異なる径のケーブルを保持可能なクランプ。【解決手段】クランプ１は、ケーブル２７は可動部７と押板２０との間に保持する。押板２０は（押板部材３は）コイルバネ４によって上向きに付勢されているので、可動部７と押板２０とでケーブル２７を挟持することになる。挟持によって保持するので、ケーブル２７の外径が変更されても１種類のクランプ１で保持できる。すなわち、ケーブル２７の外径に対応して複数サイズのクランプ１を用意する必要はなくなる。しかも、コイルバネ４による付勢力で、ケーブル２７を押板２０と可動部７とで挟持するので、把持力が不足することもない。【選択図】図３
2009014147.tif 000002
【特許請求の範囲】
【請求項１】
対面配置された２つの壁部と、前記２つの壁部間に横設された基部と、一端部が前記２つの壁部の一方に連接された可動部とを備え、
前記可動部の他端部を前記２つの壁部の他方と連結して前記２つの壁部、前記基部及び前記可動部にて閉鎖環を形成する閉状態と、前記可動部の他端部と前記２つの壁部の他方との連結を解除した開状態とに可変で、
前記閉鎖環にて長尺物を保持するクランプにおいて、
前記閉鎖環内で往復移動可能な押板と、
前記押板の往復移動経路を規定するガイド手段と、
前記閉鎖環にて保持した前記長尺物に前記押板を押し付ける方向に前記押板を付勢するバネ手段と
を備えたことを特徴とするクランプ。
【発明の詳細な説明】
【技術分野】
【０００１】
本発明は、ケーブル等の長尺物を保持するためのクランプの技術分野に属する。
【背景技術】
【０００２】
対面配置された２つの壁部と、前記２つの壁部間に横設された基部と、一端部が前記２つの壁部の一方に連接された可動部とを備え、前記可動部の他端部を前記２つの壁部の他方と連結して前記２つの壁部、前記基部及び前記可動部にて閉鎖環を形成する閉状態と、前記可動部の他端部と前記２つの壁部の他方との連結を解除した開状態とに可変で、前記閉鎖環にて長尺物を保持するクランプが知られている。
【発明の開示】
【発明が解決しようとする課題】
【０００３】
上記のようなクランプでは、保持されるケーブル等の長尺物の外径が閉鎖環の内法寸法に合わないと十分な把持力が得られないので、ケーブル等の外径に対応して複数サイズを使用しなければならなかった。
【課題を解決するための手段】
【０００４】
請求項１記載のクランプは、
対面配置された２つの壁部と、前記２つの壁部間に横設された基部と、一端部が前記２つの壁部の一方に連接された可動部とを備え、
前記可動部の他端部を前記２つの壁部の他方と連結して前記２つの壁部、前記基部及び前記可動部にて閉鎖環を形成する閉状態と、前記可動部の他端部と前記２つの壁部の他方との連結を解除した開状態とに可変で、
前記閉鎖環にて長尺物を保持するクランプにおいて、
前記閉鎖環内で往復移動可能な押板と、
前記押板の往復移動経路を規定するガイド手段と、
前記閉鎖環にて保持した前記長尺物に前記押板を押し付ける方向に前記押板を付勢するバネ手段と
を備えたことを特徴とする。
【０００５】
このクランプは、閉鎖環内で往復移動可能な押板を備えている。この押板の往復移動経路はガイド手段によって規定される。そして、バネ手段が、閉鎖環にて保持した長尺物に押板を押し付ける方向に押板を付勢するので、保持された長尺物を押板と閉鎖環の一部（壁部、基部又は可動部）とで挟持できる。
【０００６】
この挟持は、長尺物の外径が変化しても押板の移動によって可能であるから、１種類のクランプで複数種類の外径の長尺物に対応できる。すなわち、ケーブル等の外径に対応して複数サイズを用意する必要はなくなる。
【０００７】
しかも、バネ手段による付勢力で、長尺物を押板と閉鎖環の一部とで挟持するので、
把持力が不足することもない。
【発明を実施するための最良の形態】
【０００８】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、本実施例のクランプ１は、本体２、押板部材３、コイルバネ４（バネ手段）にて構成されている。
【０００９】
本体２は、対面配置された２つの壁部５、５と、２つの壁部５、５間に横設された基部６と、一端部が２つの壁部５の一方に連接された可動部７とを備えている。
可動部７の先端部には、Ｕ字状の弾性部８が設けられており、弾性部８は突起９を備えている。また、２つの壁部５の他方には、外面にボックス１０が連設されており、ボックス１０内には突起９を係止するための係止部１１が設けられている。
【００１０】
可動部７を薄肉のヒンジ部７ａで屈折させると、弾性部８がボックス１０内に進入し、突起９が係止部１１に係止される。これにより、クランプ１は閉状態となって、２つの壁部５、基部７及び可動部７にて閉鎖環を形成する（図２、３参照）。なお、突起９と係止部１１との係止は弾性部８を操作することで解除でき、それによって開状態に戻せる。
【００１１】
基部６の下部には、一対の弾性片１２と矢じり型スナップ１３とで構成される、取付手段が連設されているので、この取付手段によってクランプ１を筐体や基板等に固定することができる。
【００１２】
また、基部６の上面中央部には円柱状の嵌着突起１５が立設されており、コイルバネ４は、この嵌着突起１５に外嵌して取り付けられている。
２つの壁部５、５の内面には基部６に対して垂直な方向に沿った凸条１６が設けられている。また、２つの壁部５、５の外面にはコの字状の保持部１７が連接されており、縦長のガイド孔１８を形成している。
【００１３】
押板部材３は略長方形の押板２０を備えている。押板２０の側部には一対の受片２１による凸条受が設けられ、下面にはバネ受２２が設けられている。また、押板部材３は、押板２０の側方に配された一対の連結腕２３を備えている。連結腕２３の先端部には抜止突起２４が設けられている。
【００１４】
押板部材３は、連結腕２３をガイド孔１８に挿通させ、一対の受片２１による凸条受を凸条１６とはめ合わせ状にして、本体２に組み付けられている（図２、３参照）。また、組み付け状態では、バネ受２２にてコイルバネ４の先端部を保持している。
【００１５】
コイルバネ４は圧縮されており、押板部材３を基部６から離れさせる方向に付勢している。
但し、連結腕２３をガイド孔１８に挿通してあるので、連結腕２３がガイド孔１８の上端に達した位置を限界にして、それよりも上には移動しない。また、連結腕２３がガイド孔１８の下端に達した位置を限界にして、それよりも下には移動しない。すなわち、押板部材３は、連結腕２３がガイド孔１８内になる範囲で上下に往復移動できる。
【００１６】
その往復移動の経路は、受片２１が凸条１６の外面を摺動することによって、凸条１６によって案内され、規定される（凸条１６はガイド手段）。
このクランプ１は、図３に示すように、閉状態ににして閉鎖環を形成し、長尺物（例えばケーブル２７）を閉鎖環にて保持するが、図示するとおりケーブル２７は可動部７と押板２０との間に保持される。押板２０は（押板部材３は）コイルバネ４によって上向きに付勢されているので、可動部７と押板２０とでケーブル２７を挟持することになる。
このように挟持によって保持するので、ケーブル２７の外径が変更されても（例えばφ１０ｍｍのケーブル２７でも、φ７ｍｍのケーブル２７でも）１種類のクランプ１で保持できる。すなわち、ケーブル２７の外径に対応して複数サイズのクランプ１を用意する必要はなくなる。
【００１７】
しかも、コイルバネ４による付勢力で、ケーブル２７を押板２０と可動部７とで挟持するので、把持力が不足することもない。なお、本実施例では、可動部７の内面に凸部７ｂを設けてあるので、可動部７側では力が凸部７ｂに集中し、把持力が優れている。
【図面の簡単な説明】
【００１８】
【図１】実施例のクランプの分解斜視図。
【図２】実施例のクランプの斜視図。
【図３】実施例のクランプの使用説明図。
【符号の説明】
【００１９】
１・・・クランプ、
３・・・押板部材、
４・・・コイルバネ、
５・・・壁部、
６・・・基部、
７・・・可動部、
１６・・・凸条、
１７・・・保持部、
１８・・・ガイド孔、
２０・・・押板、
２１・・・受片、
２３・・・連結腕、
２７・・・ケーブル。
【図１】
2009014147.tif 000003
【図２】
2009014147.tif 000004
【図３】
2009014147.tif 000005